(57)【要約】【課題】  電子部品の発した熱を外部や大気中に良好に放散させることができ、かつ電子部品を放熱部材に強固に接着させることが可能な電子部品収納用パッケージおよびそれを用いた電子装置を提供すること。【解決手段】  上面の中央部に電子部品１１を搭載するための搭載部を有する平板状の放熱部材１と、放熱部材１の上面に搭載部１２を取り囲んで取着するとともに内面から外面に導出する複数の配線導体６を形成して成る枠体５とを具備する電子部品収納用パッケージであって、放熱部材１を、枠状の金属基体２の上面に金属基体２よりも熱伝導率の高い熱拡散金属層４を積層するとともに、金属基体２の、搭載部１２の直下で枠体５の内面よりも内側に位置する部位に形成された貫通孔に金属基体２よりも熱伝導率の高い貫通金属体３を充填し、さらに金属基体２および枠体５の熱膨張係数を熱拡散金属層４よりも小さくした。【選択図】  図１
2006303400.tif 000002
【特許請求の範囲】
【請求項１】
上面の中央部に電子部品を搭載するための搭載部を有する平板状の放熱部材と、該放熱部材の上面に前記搭載部を取り囲んで取着するとともに内面から外面に導出する複数の配線導体を形成して成る枠体とを具備する電子部品収納用パッケージであって、前記放熱部材を、枠状の金属基体の上面に該金属基体よりも熱伝導率の高い熱拡散金属層を積層するとともに、前記金属基体の、前記搭載部の直下で前記枠体の内面よりも内側に位置する部位に形成された貫通孔に前記金属基体よりも熱伝導率の高い貫通金属体を充填し、さらに前記金属基体および前記枠体の熱膨張係数を前記熱拡散金属層よりも小さくしたことを特徴とする電子部品収納用パッケージ。
【請求項２】
前記枠体の熱膨張係数を前記金属基体よりも小さくしたことを特徴とする請求項１記載の電子部品収納用パッケージ。
【請求項３】
前記枠体の厚みを前記金属基体よりも薄くしたことを特徴とする請求項１記載の電子部品収納用パッケージ。
【請求項４】
請求項１乃至請求項３のいずれかに記載の電子部品収納用パッケージと、前記搭載部に搭載するとともに電極を前記配線導体に電気的に接続した前記電子部品と、前記枠体の上面に前記電子部品を覆うように取着した蓋体または前記枠体の内側に前記電子部品を覆うように充填した封止樹脂とを具備していることを特徴とする電子装置。
【請求項５】
請求項４記載の電子装置を外部放熱板に実装した実装構造であって、前記金属基体の下面および前記貫通金属体の下面を前記外部放熱板に接触させたことを特徴とする電子装置の実装構造。
【請求項６】
前記貫通金属体の下面と外部放熱板との間にカーボンシートまたはグリースを介在させたことを特徴とする請求項５記載の電子装置の実装構造。
【発明の詳細な説明】
【技術分野】
【０００１】
本発明は良好な放熱特性の放熱構造を有する電子部品収納用パッケージおよびそれを用いた電子装置ならびに電子装置の実装構造に関するものである。
【背景技術】
【０００２】
従来、半導体素子等の電子部品を収容するための電子部品収納用パッケージは、一般に酸化アルミニウム質焼結体，ムライト質焼結体，ガラスセラミックス焼結体等の電気絶縁材料から成る枠体と、電子部品が搭載されてその動作時に発生する熱を外部もしくは大気中に良好に放散させるための銅−タングステン材料または銅−モリブデン材料から成る放熱部材と、蓋体とから構成されており、放熱部材の上面に電子部品の搭載部を取り囲むように枠体が配置されているとともに、これら枠体および放熱部材によって形成される凹部の内側から外表面にかけて、タングステン，モリブデン，マンガン，銅，銀等から成る複数の配線導体が枠体に被着され導出されている。
【０００３】
そして、放熱部材の上面の搭載部に電子部品をガラス，樹脂，ロウ材等の接着剤を介して接着固定するとともに、この電子部品の各電極をボンディングワイヤを介して配線導体に電気的に接続し、しかる後、枠体に蓋体をガラス，樹脂，ロウ材等から成る封止材を介して接合し、放熱部材と枠体と蓋体とから成る容器の内部に電子部品を収納することによって製品としての電子装置となる。この電子装置は、さらに放熱効率を向上させるために、ねじ止め等によって外部放熱板に搭載される場合もある。
【０００４】
このような銅−タングステン材料や銅−モリブデン材料等から成る放熱部材を具備した電子部品収納用パッケージは、放熱部材の熱伝導率が高く、なおかつ放熱部材の熱膨張係数が電子部品の構成材料であるシリコン，ガリウム砒素やパッケージの構成材料として使われるセラミック材料等と熱膨張係数が近似することから、パワーＩＣや高周波トランジスタ等の高発熱電子部品を搭載する電子部品収納用パッケージとして注目されている。
【特許文献１】特開平４−３４８０６２号公報
【発明の開示】
【発明が解決しようとする課題】
【０００５】
近年、パワーＩＣや高周波トランジスタの高集積化に伴う発熱量の増大によって、現在では３００Ｗ／ｍ・Ｋ以上の熱伝導率を持つ放熱部材が求められている。しかしながら、上記従来の銅−タングステン材料や銅−モリブデン材料から成る放熱部材の熱伝導率は200Ｗ／ｍ・Ｋ程度とその要求に対して低いため、放熱特性が不十分になりつつあるという問題がある。
【０００６】
一方、従来の銅−タングステン材料や銅−モリブデン材料において、銅の含有量を増加させることにより、放熱部材の熱伝導率を増加させることができるものの、電子部品や放熱部材との熱膨張係数の差が大きくなり、電子部品を放熱部材に強固に接合することができなくなるという問題点がある。
【０００７】
本発明は上記従来の技術における問題に鑑み案出されたものであり、その目的は、電子部品の発した熱を外部や大気中に良好に放散させることができ、かつ電子部品を放熱部材に強固に接着させることが可能な電子部品収納用パッケージおよびそれを用いた電子装置ならびに電子装置の実装構造を提供することにある。
【課題を解決するための手段】
【０００８】
本発明の電子部品収納用パッケージは、上面の中央部に電子部品を搭載するための搭載部を有する平板状の放熱部材と、該放熱部材の上面に前記搭載部を取り囲んで取着するとともに内面から外面に導出する複数の配線導体を形成して成る枠体とを具備する電子部品収納用パッケージであって、前記放熱部材を、枠状の金属基体の上面に該金属基体よりも熱伝導率の高い熱拡散金属層を積層するとともに、前記金属基体の、前記搭載部の直下で前記枠体の内面よりも内側に位置する部位に形成された貫通孔に前記金属基体よりも熱伝導率の高い貫通金属体を充填し、さらに前記金属基体および前記枠体の熱膨張係数を前記熱拡散金属層よりも小さくしたことを特徴とする。
【０００９】
本発明の電子部品収納用パッケージにおいて好ましくは、前記枠体の熱膨張係数を前記金属基体よりも小さくしたことを特徴とする。
【００１０】
本発明の電子部品収納用パッケージにおいて好ましくは、前記枠体の厚みを前記金属基体よりも薄くしたことを特徴とする。
【００１１】
本発明の電子装置は、上記本発明の電子部品収納用パッケージと、前記搭載部に搭載するとともに電極を前記配線導体に電気的に接続した前記電子部品と、前記枠体の上面に前記電子部品を覆うように取着した蓋体または前記枠体の内側に前記電子部品を覆うように充填した封止樹脂とを具備していることを特徴とする。
【００１２】
本発明の電子装置の実装構造は、上記本発明の電子装置を外部放熱板に実装した実装構造であって、前記金属基体の下面および前記貫通金属体の下面を前記外部放熱板に接触させたことを特徴とする。
【００１３】
本発明の電子装置の実装構造において好ましくは、前記貫通金属体の下面と外部放熱板との間にカーボンシートまたはグリースを介在させたことを特徴とする。
【発明の効果】
【００１４】
本発明の電子部品収納用パッケージによれば、放熱部材を、枠状の金属基体の上面に金属基体よりも熱伝導率の高い熱拡散金属層を積層するとともに、金属基体の、搭載部の直下で枠体の内面よりも内側に位置する部位に形成された貫通孔に金属基体よりも熱伝導率の高い貫通金属体を充填し、さらに金属基体および枠体の熱膨張係数を熱拡散金属層よりも小さくしたことから、貫通金属体によって電子部品で発生した熱を電子部品の搭載面に垂直な方向により多く伝えることができ、電子部品に発生する熱をこの放熱部材を介して大気中あるいは外部放熱板に良好に放散することができる。
【００１５】
また、金属基体の上面に積層された熱伝導率の高い熱拡散金属層によって電子部品で発生した熱を電子部品の搭載面に平行な方向にも多く伝えることができ、放熱性をより向上できる。
【００１６】
さらに、熱拡散金属層を熱膨張係数の小さい枠体および金属基体で挟み込むことによって放熱部材の熱膨張を良好に抑制することができ、放熱部材に応力が生じるのを有効に防止できる。その結果、応力が枠体や電子部品に伝わって枠体にクラックが生じたり、電子部品が破損したりするのを有効に防止でき、電子部品を長期間にわたり正常かつ安定に作動させることが可能となる。
【００１７】
本発明の電子部品収納用パッケージは、枠体の熱膨張係数を金属基体よりも小さくしたことから、電子部品の発熱により放熱部材に熱が伝わった際、熱膨張係数が金属基体よりも小さな枠体によって金属基体の上面側の熱膨張が抑制されることにより、放熱部材が下側に凸、すなわち放熱部材の下面中央部を下側に突出させるように反り、電子部品収納用パッケージと外部放熱板とを隙間無く接触させることができる。その結果、電子部品が発生する熱を放熱部材を介して外部放熱板により良好に移動させることができる。
【００１８】
本発明の電子部品収納用パッケージは、枠体の厚みを金属基体よりも薄くしたことから、電子部品から放熱部材への熱移動を良好に行なうことができるとともに電子部品収納用パッケージの低背化による小型化が可能になる。
【００１９】
本発明の電子装置は、上記本発明の電子部品収納用パッケージと、搭載部に搭載するとともに電極を配線導体に電気的に接続した電子部品と、絶縁枠体の上面に電子部品を覆うように取着した蓋体または絶縁枠体の内側に電子部品を覆うように充填した封止樹脂とを具備していることから、本発明の電子部品収納用パッケージの特徴を備えた、電子部品に対する放熱特性がきわめて良好な、長期にわたって安定して電子部品を作動させることができる電子装置を提供することができる。
【００２０】
本発明の電子装置の実装構造は、上記本発明の電子装置の金属基体の下面および貫通金属体の下面を外部放熱板に接触させたことから、電子部品で発生した熱を外部放熱板に良好に熱移動させることができ、放熱性を向上できる。
【００２１】
本発明の電子装置の実装構造は、貫通金属体の下面と外部放熱板との間にカーボンシートまたはグリースを介在させたことから、貫通金属体と外部放熱板との間に隙間が生じるのを有効に防止し、電子部品で発生した熱を外部放熱板にさらに良好に熱移動させることができるとともに外部放熱板への放熱信頼性を高めることができる。
【発明を実施するための最良の形態】
【００２２】
次に、本発明を添付図面に基づき詳細に説明する。
【００２３】
図１は本発明の電子部品収納用パッケージおよびそれを用いた電子装置の実施の形態の一例を示す断面図であり、図２は図１の電子部品収納用パッケージの平面図である。これらの図において、１は放熱部材、２は金属基体、３は貫通金属体、４は熱拡散金属層、５は枠体、６は配線導体、７はリード端子、１０は蓋体である。これら放熱部材１と枠体５と配線導体６とで電子部品１１を収納する電子部品収納用パッケージが構成される。また、この放熱部材１の搭載部１２に電子部品１１を搭載した後に、放熱部材１と枠体５とからなる凹部５ａに搭載部１２を覆うように蓋体１０を取着して電子部品１１を封止することにより、本発明の電子装置が構成される。また、図５は本発明の電子装置を外部放熱板Ａに実装した実装構造を示す断面図である。
【００２４】
電子部品１１はパワーＩＣや高周波トランジスタ、レーザダイオード（ＬＤ）、発光ダイオード（ＬＥＤ）、フォトダイオード（ＰＤ）などに代表される半導体素子などであり、作動により発熱を伴う電子部品を含む。
【００２５】
枠体５は、酸化アルミニウム質焼結体，ムライト質焼結体，ガラスセラミックス等の絶縁体や、Ｆｅ−Ｎｉ−Ｃｏ合金，Ｆｅ−Ｎｉ合金に代表されるＦｅ系合金等の金属から成り、ロウ材９を介して放熱部材１の上面に搭載部12を取り囲んで接着固定されることにより取着される。なお、このロウ材９による接着固定に際しては、通常、ロウ付け用の金属層（図示せず）が枠体５の放熱部材１との接合部に形成されてもよい。
【００２６】
また、放熱部材１には、その上面の中央部の搭載部１２に電子部品１１が樹脂，ガラス，ロウ材等の接着剤（図示せず）を介して固定される。なお、接着剤としてロウ材を用いる場合には、ロウ付け用の金属層（図示せず）が放熱部材１の電子部品１１との接着部に形成されてもよい。ただし、放熱部材１の上面の搭載部１２に接合された熱拡散金属層４により十分なロウ付けができる場合には、ロウ付け用の金属層は特に必要ではない。
【００２７】
枠体５は、例えば、酸化アルミニウム質焼結体から成る場合であれば、酸化アルミニウム，酸化珪素，酸化マグネシウム，酸化カルシウム等の原料粉末に適当な有機バインダ，溶剤，可塑剤，分散剤等を混合添加して泥漿状となすとともに、これからドクターブレード法やカレンダーロール法を採用することによってセラミックグリーンシート（セラミック生シート）を形成し、しかる後に、このセラミックグリーンシートに適当な打ち抜き加工を施すとともに、タングステン，モリブデン，マンガン，銅，銀，ニッケル，パラジウム，金等の金属材料粉末に適当な有機バインダ，溶剤を混合してなる導電性ペーストをセラミックグリーンシートに予めスクリーン印刷法等により所定パターンに印刷塗布した後に、このセラミックグリーンシートを複数枚積層し、約１６００℃の温度で焼成することによって作製される。
【００２８】
また枠体５は、Ｆｅ−Ｎｉ−Ｃｏ等のＦｅ系合金の板を金型にてプレス打ち抜き等にて作製することもできる。
【００２９】
また、枠体５には、放熱部材１と枠体５とで構成される凹部５ａの内側の搭載部周辺から枠体５の外表面にかけて導出する配線導体６が形成されており、配線導体６の凹部５ａの内側の一端には半導体素子１１の各電極がボンディングワイヤ１３を介して電気的に接続される。
【００３０】
配線導体６は、例えば、タングステン，モリブデン等の高融点金属から成り、タングステン，モリブデン等の金属粉末に適当な有機バインダ，溶剤等を添加混合して得た金属ペーストを枠体５となるセラミックグリーンシートに予めスクリーン印刷法等によって所定のパターンに印刷塗布しておくことによって、放熱部材１および枠体５による凹部５ａの内側の搭載部周辺から枠体５の外表面にかけて被着形成される。
【００３１】
また、配線導体６はその露出する表面にニッケル，金等の耐食性に優れ、かつボンディングワイヤ１３のボンディング性に優れる金属を１〜２０μｍの厚みにメッキ法によって被着させておくと、配線導体６の酸化腐食を有効に防止できるとともに配線導体６へのボンディングワイヤ１３の接続を強固となすことができる。従って、配線導体６は、その露出する表面にニッケル，金等の耐食性に優れ、かつボンディング性に優れる金属を１〜２０μｍの厚みに被着させておくことが望ましい。
【００３２】
配線導体６は、例えばＦｅ−Ｎｉ−Ｃｏ等から成るリード端子で形成してもよい。この場合、例えば枠体５の内面から外面にかけて切り欠きや貫通孔を形成し、この切り欠きや貫通孔にガラス等の接合材を介してリード端子を接合することにより配線導体６を形成できる。あるいは、絶縁体に周知のメタライズ法や薄膜形成法、めっき法などで配線導体６を形成した入出力端子を上記切り欠きや貫通孔に接合してもよい。
【００３３】
本発明の放熱部材１は、電子部品１１の作動に伴い発生する熱を吸収するとともに大気中に放散させる、あるいは外部放熱板Ａに伝導させる機能を有するものであり、枠状の金属基体２の上面に金属基体２よりも熱伝導率の高い熱拡散金属層４を積層するとともに、金属基体２の、搭載部１２の直下で枠体５の内面よりも内側に位置する部位に形成された貫通孔に金属基体２よりも熱伝導率の高い貫通金属体３を充填することにより構成されている。さらに金属基体２および枠体５の熱膨張係数を熱拡散金属層４よりも小さくなっている。
【００３４】
この構成により、貫通金属体３によって電子部品１１で発生した熱を電子部品１１の搭載面に垂直な方向により多く伝えることができ、電子部品１１に発生する熱をこの放熱部材１を介して大気中あるいは外部放熱板Ａに良好に放散することができる。
【００３５】
また、金属基体２の上面に積層された熱伝導率の高い熱拡散金属層４によって電子部品１１で発生した熱を電子部品１１の搭載面に平行な方向にも多く伝えることができ、放熱性をより向上できる。
【００３６】
さらに、熱拡散金属層４を熱膨張係数の小さい枠体５および金属基体２で挟み込むことによって放熱部材１の熱膨張を良好に抑制することができ、放熱部材１に応力が生じるのを有効に防止できる。その結果、応力が枠体５や電子部品１１に伝わって枠体５にクラックが生じたり、電子部品１１が破損したりするのを有効に防止でき、電子部品１１を長期間にわたり正常かつ安定に作動させることが可能となる。
【００３７】
金属基体２は、熱膨張係数が電子部品１１や枠体５に近似したものが用いられ、例えば、タングステンやモリブデン等の金属、あるいは、タングステン粉末またはモリブデン粉末を加圧成形し、これを１３００〜１６００℃の雰囲気中で焼結することによって得られる多孔質体に銅を含浸させたもの、いわゆる銅−タングステン材料や銅−モリブデン材料等が用いられる。
【００３８】
また、熱拡散金属層４は、枠体５や金属基体２よりも熱伝導率の高い材料が用いられ、例えば、銅や銅を主成分とする各種の銅合金等が用いられる。このような熱拡散金属層４は、熱拡散金属層４と成る金属板を金属基体２にロウ付けや圧接により接合することによって、あるいは、溶融した熱拡散金属層４と成る金属を金属基体２に被着することによって、形成することができる。
【００３９】
熱拡散金属層４の熱膨張係数は枠体５の２．３〜２．７倍であるとともに、金属基体２の２．０〜２．４倍であるのがよい。これにより、熱拡散金属層４の熱膨張を枠体５および金属基体２で挟み込んで拘束し、放熱部材１に応力が生じるのを有効に防止できる。
【００４０】
熱拡散金属層４の厚みは、８００μｍより厚くなると金属基体２と熱拡散金属層４との熱膨張差によって発生する応力が大きくなり十分な接合強度が得られない傾向があることから、８００μｍ以下としておくことが望ましい。また、熱拡散金属層４の厚みが５０μｍ以上であれば、電子部品１１の作動に伴い発生する熱が熱拡散金属層４の平面方向に十分広がるので、放熱部材１の熱放散性はさらに向上する。
【００４１】
また、貫通金属体３は、金属基体２よりも熱伝導率の高い材料が用いられ、例えば、銅や銅を主成分とする各種の銅合金等が用いられる。貫通金属体３は熱拡散金属層４と同じ材料であってもよく、異なるものであってもよい。このような貫通金属体３は、例えば、ブロック状の貫通金属体３を金属基体２に形成した貫通穴に挿入しロウ付けすることによって、溶融した金属で金属基体２に形成した貫通穴を充填することによって、あるいは、メッキにより金属基体２に形成した貫通穴を充填することによって形成される。
【００４２】
このような放熱部材１は、例えば、以下のようにして作製される。先ず、平均粒径が５〜４０μｍのタングステン粉末またはモリブデン粉末を、電子部品１１の搭載部に貫通穴が形成されるように加圧成形し、これを１３００〜１６００℃の雰囲気中で焼結することによって多孔体を得、この多孔体に水素雰囲気下において約１２００℃で１０〜５０質量％の銅を含浸させることにより、銅−タングステン材料または銅−モリブデン材料から成る平板状の金属基体２を作製する。次に、この金属基体２の中央部に形成された貫通穴に、銅ブロックを挿入してロウ付けすることにより貫通金属体３を埋設する。そして、この金属基体２および貫通金属体３の上面を覆って熱拡散金属層４を接合することによって形成される。
【００４３】
なお、貫通金属体３はタングステン粉末やモリブデン粉末を焼結した多孔体に銅を含浸する際に同時に貫通穴を銅で充填することにより作製されてもよい。
【００４４】
また好ましくは、平面視して、貫通金属体３の外周が電子部品１１の外周より大きくなっているのがよく、特に好ましくは、金属基体２の厚み分大きくなっているのがよい。これにより、電子部品１１で発生した熱を放熱部材１の上面の電子部品１１の搭載部１２から下面へと垂直な方向により多く伝えることができるとともに、貫通金属体３内においても電子部品１１の外周から外側へ放熱部材１に平行な方向への熱の広がりを持たせることが可能となり、放熱性をより向上させることができる。
【００４５】
なお、貫通金属体３の外周は、枠体５の内面よりも外側にあると、貫通金属体３の熱膨張が大きくなって搭載部１２が歪みやすくなる。その結果、電子部品１１が剥離しやすくなる。
【００４６】
また、金属基体２の電子部品１１が搭載される上面とは反対側の下面の算術平均粗さＲａは、Ｒａ≦３０（μｍ）であることが好ましい。通常、電子部品収納用パッケージは、アルミニウムや銅等の金属体あるいは、高熱伝導を有するセラミック体から成る外部放熱板Ａへネジ止めにより、またははんだ等の溶融金属，ロウ材を用いて接続される。このとき、金属基体２の下面の算術平均粗さＲａがＲａ＞３０（μｍ）の場合には、電子部品収納用パッケージと外部放熱板Ａとを十分に密着させることが困難となり、両者の間に空隙やボイドが発生し、その結果、電子部品１１で発生した熱を電子部品収納用パッケージからこの外部放熱板Ａへ効率良く伝達させることができなくなるおそれがある。したがって、下面は、外部放熱板Ａとの良好な密着性が得られるように平滑であることが望ましい。
【００４７】
よって、電子部品１１が搭載される上面とは反対側の、基体２の貫通金属体３が埋設されている部位の下面の算術平均粗さＲａは、Ｒａ≦３０（μｍ）で表面がＲａ≦３０（μｍ）の平滑面であることが好ましい。
【００４８】
枠体５の熱膨張係数は、好ましくは金属基体２の熱膨張係数の０．７〜１．５倍であるのがよい。これにより、枠体５と金属基体２とで熱拡散金属層４の熱膨張をバランスよく良好に抑制でき、電子部品収納用パッケージの歪みを抑制できる。
【００４９】
また好ましくは、枠体５の熱膨張係数を金属基体２の熱膨張係数よりも小さくするのがよい。具体的には枠体５の熱膨張係数が金属基体２の熱膨張係数の０．７〜０．９倍であるのがよい。これにより、電子部品１１の発熱により放熱部材１に熱が伝わった際、熱膨張係数が金属基体２よりも小さな枠体５によって金属基体２の上面側の熱膨張が抑制されることにより、放熱部材１が下側に凸、すなわち放熱部材１の下面中央部を下側に突出させるように反り、電子部品収納用パッケージと外部放熱板Ａとを隙間無く接触させることができる。その結果、電子部品１１が発生する熱を放熱部材１を介して外部放熱板Ａにより良好に移動させることができる。
【００５０】
また好ましくは、枠体５の厚みを金属基体２の厚みよりも薄くするのがよい。これにより、電子部品１１から放熱部材１への熱移動を良好に行なうことができるとともに電子部品収納用パッケージの低背化による小型化が可能になる。また、枠体５の厚みを、金属基体２の厚みより薄くすることで放熱部材１の組立て後の反り値を、搭載部１２を上面とした場合、下方に凸形状となる状態で、５０μｍ以内に調節することが可能となり、放熱部材１が外部放熱板Ａに良好に密着することで、電子部品１１の作動に伴い発生する熱を外部に良好に放熱することが可能となる。
【００５１】
放熱部材１の下面は金属基体２の下面および貫通金属体３の下面が露出しているのがよい。これにより、電子部品１１からの熱を外部放熱板Ａに良好に熱移動させることができる。また、金属基体２の下面および貫通金属体３の下面が露出していることにより、熱膨張係数の比較的大きい熱拡散金属層４の上下に熱膨張係数の比較的小さい金属基体２および枠体５を配置した対称構造とすることができるので、電子部品収納用パッケージ全体としての熱膨張のバランスを良好に維持でき、電子部品収納用パッケージの歪みを良好に抑制できる。
【００５２】
なお、露出した金属基体２の下面および貫通金属体３の下面には、腐食防止などの目的でＮｉやＡｕなどの皮膜をメッキ法や薄膜法等で被着しておいてもよい。
【００５３】
また、図３は本発明の導電性を有する枠体を使用した電子部品収納用パッケージおよびそれを用いた電子装置の実施の別の形態を示す断面図であり、図４は図３の電子部品収納用パッケージの平面図である。
【００５４】
図３においては、枠体５はＦｅ系金属等の金属から成り、この枠体５に切り欠きを形成するとともにこの切り欠きに、上面にメタライズ法などで形成した配線導体６を有する絶縁体から成る入出力端子１４を嵌着し接合している。これにより、電子部品１１に対するシールド性を向上できる。
【００５５】
かくして、上述の電子部品収納用パッケージによれば、放熱部材１の搭載部１２の上に電子部品１１をガラス，樹脂，ロウ材等から成る接着剤（図示せず）を介して接着固定するとともに、電子部品１１の各電極をボンディングワイヤ１３を介して所定の配線導体６に電気的に接続し、しかる後に、放熱部材１と枠体５とからなる凹部５ａに搭載部１２を覆うように金属や絶縁体などから成る蓋体１０（蓋体１０は、放熱性の観点から好ましくは、熱伝導率の高いものであるのがよい）を取着したり、あるいは封止樹脂（図示せず）を充填して凹部５ａ内に電子部品１１を封止することによって、製品としての電子装置となる。
【００５６】
このような電子装置は、図５に示すように外部放熱板Ａに実装され、外部回路基板や外部電子装置と電気的に接続される。これにより、電源の供給や電気信号の入出力を互いに行なう電子システムが構成される。
【００５７】
外部放熱板は、本発明の電子部品収納用パッケージを搭載して電子部品収納用パッケージの熱を良好に放熱するためのもので、例えば、アルミニウムや銅などから成る金属板である。また、図５に示すように、外部放熱板Ａは電子部品収納用パッケージ以外の外部回路基板Ｂや外部電子装置をも搭載し、これらの電気的接続を行なうためのボードとしても用いられる。
【００５８】
本発明の電子装置の外部放熱板Ａへの実装は、上記本発明の電子装置の金属基体２の下面および貫通金属体３の下面を外部放熱板Ａに接触させることにより行なうのがよい。これにより、電子部品１１で発生した熱を外部放熱板Ａに良好に熱移動させることができ、放熱性を向上できる。電子装置の外部放熱板Ａへの実装をより簡略化するとともに放熱性を良好にするという観点からは、本発明の電子装置の実装構造において、電子装置の貫通金属体３の下面を外部放熱板Ａに直接接触させることにより行なうのがよい。
【００５９】
また、電子装置から外部放熱板Ａへの熱移動をより高い信頼性で行なうという観点からは、貫通金属体３の下面と外部放熱板Ａとの間にカーボンシートまたはグリースを介在させるのがよい。これにより、貫通金属体３と外部放熱板Ａとの間に隙間が生じるのを有効に防止し、電子部品１１で発生した熱を外部放熱板Ａにさらに良好に熱移動させることができるとともに外部放熱板Ａへの放熱信頼性を高めることができる。
【００６０】
このようなカーボンシートやグリースは金属基体２の下面と外部放熱板Ａとの間にも介在させる方が、より放熱性を向上できるのでより好ましい。
【００６１】
なお本発明の電子装置を外部放熱板Ａに固定するための手段としては、ネジ止めなどが挙げられる。
【００６２】
なお、本発明は以上の実施の形態の例に限定されるものではなく、本発明の要旨を逸脱しない範囲であれば種々の変更が可能である。例えば、電子部品１１で発生した熱を放熱部材１から大気中に効率良く放散させるために、放熱部材１の金属基体２および貫通金属体３の下面に、放熱フィンを接続したり、放熱フィンをロウ付け等で接合して放熱フィンが放熱部材１と一体化した形状としたりしてもよく、これによって、電子部品１１の作動に伴い発生する熱を放熱部材１により吸収するとともに大気中に放散させる作用をさらに向上することができる。
【図面の簡単な説明】
【００６３】
【図１】本発明の電子部品収納用パッケージおよびそれを用いた本発明の電子装置の実施の形態の一例を示す断面図である。
【図２】図１の電子部品収納用パッケージの平面図である。
【図３】本発明の電子部品収納用パッケージおよびそれを用いた本発明の電子装置の実施の形態の他の例を示す断面図である。
【図４】図３の電子部品収納用パッケージの平面図である。
【図５】本発明の電子装置の実装構造の実施の形態の一例を示す断面図である。
【符号の説明】
【００６４】
１・・・・・放熱部材
２・・・・・金属基体
３・・・・・貫通金属体
４・・・・・熱拡散金属層
５・・・・・枠体
６・・・・・配線導体
１０・・・・蓋体
１１・・・・電子部品
１２・・・・搭載部
【図１】
2006303400.tif 000003
【図２】
2006303400.tif 000004
【図３】
2006303400.tif 000005
【図４】
2006303400.tif 000006
【図５】
2006303400.tif 000007